(57)【特許請求の範囲】
【請求項１】
絶縁性のあるベース層と、
前記ベース層の一方の面に配置され、第１の接続端子部を有する接触及び／又は非接触用のＩＣチップと、
前記ベース層の他方の面に配置され、第２の接続端子部を有する外部接触端子及び／又は非接触通信用アンテナからなる通信手段と、
前記第１の接続端子部に直接形成され、前記第１の接続端子部に対して直接電気的に接続され、前記ベース層に埋め込まれ、前記第１の接続端子部と前記第２の接続端子部とを導通させる導電性のある埋め込み導通部材とを備えるＩＣモジュールの製造方法であって、
前記ＩＣチップの第１の接続端子部に前記埋め込み導通部材を、前記ベース層の厚さよりも高く形成する埋め込み導通部材形成工程と、
前記ベース層の前記他方の面に導電層を形成する導電層形成工程と、
前記ベース層を加熱し、前記ベース層に対して前記埋め込み導通部材を当接させて、前記ベース層に対して前記ＩＣチップを加圧をして、前記埋め込み導通部材を前記ベース層に埋め込み、前記埋め込み導通部材が前記導電層に当接をするまで前記加圧をすることにより、前記導電層の前記当接をする位置に前記第２の接続端子部を形成して、前記第１の接続端子部と前記第２の接続端子部とを導通させる導通工程と、
前記導電層を加工して、前記通信手段を作製する通信手段作製工程と、
を備えたＩＣモジュールの製造方法。
【請求項２】
絶縁性のあるベース層と、
前記ベース層の一方の面に配置され、第１の接続端子部を有する接触及び／又は非接触用のＩＣチップと、
前記ベース層の他方の面に配置され、第２の接続端子部を有する外部接触端子及び／又は非接触通信用アンテナからなる通信手段と、
前記第１の接続端子部に直接形成され、前記第１の接続端子部に対して直接電気的に接続され、前記ベース層に埋め込まれ、前記第１の接続端子部と前記第２の接続端子部とを導通させる導電性のある埋め込み導通部材とを備えるＩＣモジュールの製造方法であって、
導電層に前記埋め込み導通部材を、前記ＩＣチップの前記第１の接続端子部に対応する位置に配置し、前記ベース層の厚さよりも高く形成する埋め込み導通部材形成工程と、
前記ＩＣチップの前記第１の接続端子部のある面に、前記ベース層を形成するベース層形成工程と、
前記ベース層を加熱し、前記ベース層に対して前記埋め込み導通部材を当接させて、前記ベース層に対して前記導電層を加圧をして、前記埋め込み導通部材を前記ベース層に埋め込み、前記埋め込み導通部材が前記第１の接続端子部に当接をするまで前記加圧をすることにより、前記第１の接続端子部と前記第２の接続端子部とを導通させる導通工程と、
前記導電層を加工して、前記通信手段を作製する通信手段作製工程と、
を備えたＩＣモジュールの製造方法。
【発明の詳細な説明】
【０００１】
【発明の属する技術分野】
本発明は、ＩＣカード，ＳＩＭ，ＩＣタグなどに使用される接触・非接触兼用型などのＩＣモジュールの製造方法に関するものである。
【０００２】
【従来の技術】
接触・非接触兼用型ＩＣカードは、カードの外部端子と外部処理装置の端子とを接触させて、データの送受信を行う接触方式の機能と、電磁波でデータの送受信を行うアンテナコイルとデータ処理のためのＩＣ回路を内蔵し、外部処理装置との間の読み書きをいわゆる無線方式で行うと共に、ＩＣ回路の駆動電力が電磁誘導で供給され、バッテリを内蔵しない非接触方式の機能とを、１枚のカードに持たせたものである。
【０００３】
また、ＩＣモジュールの構造の簡素化に関して、特開平１１−１８４９９７号は、非接触用のＩＣチップと、ＩＣチップに形成されたアンテナコイルと、ＩＣチップの端子とアンテナコイルの端子とを接続する接続部と、ＩＣチップ，アンテナコイル及び接続部を封止する封止樹脂とを備えた非接触ＩＣモジュールを開示している。
【０００４】
【発明が解決しようとする課題】
しかし、前述した従来のＩＣモジュールは、部品点数を減らし、製造工程を簡素化することに成功しているが、本格的な実用化に向けて、さらなる、簡素化が求められている。
例えば、上記ＩＣモジュールでは、接続部としてワイヤボンディングを用いており、そのために、封止樹脂で封止する構造及び工程が必要であり、信頼性や簡素化が不十分であった。
【０００５】
本発明の課題は、構造が簡単で信頼性が高く、製造工程が簡素化できるＩＣモジュールの製造方法を提供することである。
【０００６】
【課題を解決するための手段】
請求項１の発明は、絶縁性のあるベース層と、前記ベース層の一方の面に配置され、第１の接続端子部を有する接触及び／又は非接触用のＩＣチップと、前記ベース層の他方の面に配置され、第２の接続端子部を有する外部接触端子及び／又は非接触通信用アンテナからなる通信手段と、前記第１の接続端子部に直接形成され、前記第１の接続端子部に対して直接電気的に接続され、前記ベース層に埋め込まれ、前記第１の接続端子部と前記第２の接続端子部とを導通させる導電性のある埋め込み導通部材とを備えるＩＣモジュールの製造方法であって、前記ＩＣチップの第１の接続端子部に前記埋め込み導通部材を、前記ベース層の厚さよりも高く形成する埋め込み導通部材形成工程と、前記ベース層の前記他方の面に導電層を形成する導電層形成工程と、前記ベース層を加熱し、前記ベース層に対して前記埋め込み導通部材を当接させて、前記ベース層に対して前記ＩＣチップを加圧をして、前記埋め込み導通部材を前記ベース層に埋め込み、前記埋め込み導通部材が前記導電層に当接をするまで前記加圧をすることにより、前記導電層の前記当接をする位置に前記第２の接続端子部を形成して、前記第１の接続端子部と前記第２の接続端子部とを導通させる導通工程と、前記導電層を加工して、前記通信手段を作製する通信手段作製工程と、を備えたＩＣモジュールの製造方法である。
【０００８】
請求項２の発明は、絶縁性のあるベース層と、前記ベース層の一方の面に配置され、第１の接続端子部を有する接触及び／又は非接触用のＩＣチップと、前記ベース層の他方の面に配置され、第２の接続端子部を有する外部接触端子及び／又は非接触通信用アンテナからなる通信手段と、前記第１の接続端子部に直接形成され、前記第１の接続端子部に対して直接電気的に接続され、前記ベース層に埋め込まれ、前記第１の接続端子部と前記第２の接続端子部とを導通させる導電性のある埋め込み導通部材とを備えるＩＣモジュールの製造方法であって、導電層に前記埋め込み導通部材を、前記ＩＣチップの前記第１の接続端子部に対応する位置に配置し、前記ベース層の厚さよりも高く形成する埋め込み導通部材形成工程と、前記ＩＣチップの前記第１の接続端子部のある面に、前記ベース層を形成するベース層形成工程と、前記ベース層を加熱し、前記ベース層に対して前記埋め込み導通部材を当接させて、前記ベース層に対して前記導電層を加圧をして、前記埋め込み導通部材を前記ベース層に埋め込み、前記埋め込み導通部材が前記第１の接続端子部に当接をするまで前記加圧をすることにより、前記第１の接続端子部と前記第２の接続端子部とを導通させる導通工程と、前記導電層を加工して、前記通信手段を作製する通信手段作製工程と、を備えたＩＣモジュールの製造方法である。
【００１０】
【発明の実施の形態】
以下、図面等を参照して、本発明の実施の形態について、さらに詳しくに説明する。
（第１実施形態）
図１，図２は、本発明によるＩＣモジュールとその製造方法の第１実施形態を示す図である。
第１実施形態によるＩＣモジュール１０は、図２（ｆ），（ｇ）に示すように、絶縁性のある基板（ベース層）１１と、基板１１の下面に配置され、接続端子部１３ａを有する接触及び／又は非接触用のＩＣチップ１３と、基板１１の上面に配置され、接続端子部１２ａを有する外部接触端子１２ｂ及び非接触通信用アンテナ１２ｃと、基板１１に埋め込まれ、接続端子部１２ａと接続端子部１３ａとを導通させる導電性のある埋め込み導通部材１４とを備えている。
【００１１】
また、第１実施形態によるＩＣモジュールの製造方法は、導電層形成工程＃１０１と、埋め込み導通部材形成工程＃１０２と、導通工程＃１０３と、通信手段作製工程＃１０４等とを備えている。
なお、各図において、１つのＩＣモジュールのみを図示しているが、実際に製造する場合には、多面つけされて、複数個同時に製造される。
【００１２】
まず、図１（ａ）に示すように、厚さ５０μｍのエポキシ樹脂などのプリプレグからなる基板（ベース層）１１に、厚さ１８又は３６μｍ程度の銅層などによる導電層１２を形成する（導電層形成工程＃１０１）。
【００１３】
上記プレプレグは、ガラス繊維などの強化材に、熱硬化性樹脂を含浸させた強化プラスチックの成形材料である。プリプレグは、繊維があるので、埋め込み導通部材１４が押し退けて孔を開けやすい。また、プリプレグは、温度を上昇させていくと、一度柔らかくなり、また、熱硬化する性質がある。従って、温度を上昇させている途中で、突き抜けやすく、そのあとに熱硬化して確実に導通固定することができる。
なお、埋め込み導通部材１４は、ポリイミド樹脂やエポキシ樹脂等のコーティングによって形成する場合には、乾燥工程の制御をすることによって、上記プレプレグの性質と同様に、埋め込み導通部材１４が突き抜けたあとに、硬化させるようにすればよい。
【００１４】
一方、図１（ｂ）に示すように、接続端子部１３ａを備えた接触・非接触用のＩＣチップ１３を用意し、図１（ｃ）に示すように、ＩＣチップ１３の接続端子部１３ａに、埋め込み導通部材１４を、印刷又はメッキ等によって、基板１１の厚さ以上に厚さ（ここでは、５０μｍ以上）に形成する（埋め込み導通部材形成工程＃１０２）。
ここで、埋め込み導通部材１４は、銀ペースト等のような導電体で印刷され、例えば、図５（ａ）に示すように、先端が半球状となった円柱形状である。また、埋め込み導通部材１４Ｂは、図５（ｂ）に示すように、先端が断面放物線などのような鋭い角度をもつ突起状の部材としたものである。
【００１５】
次に、図１（ｄ）に示すように、基板１１とＩＣチップ１３とを位置合せして、図１（ｅ）に示すように、基板１１を加熱・加圧することにより、ＩＣチップ１３の接続端子部１３ａに設けられた埋め込み導通部材１４を、基板１１に埋め込んで、接続端子部１３ａと導電層１２の接続端子部１２ａとを導通させる（導通工程＃１０３）。
【００１６】
このように、基板１１に熱と圧力をかけることによって、基板１１の樹脂層を通して、突起状の埋め込み導通部材１４が、基板１１の中にめり込んでいく。そして、基板１１とＩＣチップ１３とを貼り合わせると、基板１１のプリプレグ層をよけて、埋め込み導通部材１４が、導電層１２の接続端子部１２ａに接触する。埋め込み導通部材１４と導電層１２とは、共に、金属であるが、熱をかけならが直接つけると、接触部分の周りを基板１１の樹脂層が固めるので、うまく導通がとれる。
【００１７】
なお、埋め込み導通部材１４は、導通の信頼性を確保するために、本実施形態の場合には、５０〜１００μｍ程度の径にすることが望ましい。
また、加熱するのは、基板１１側でもＩＣチップ１３側でもよいが、本実施形態では、上下に加熱加圧板を配置して、それぞれの温度と圧力をコントロールしている。
【００１８】
最後に、図２（ｆ）に示すように、導電層１２を加工して、外部接触端子１２ｂ，非接触通信用アンテナ１２ｃを形成する（通信手段作製工程＃１０４）。
つまり、導電層１２の上面に、外部接触端子１２ｂの導電パターンと非接触通信用アンテナ１２ｃの導電パターンを、図示は省略するが以下のようにして、エッチングにより形成する。
【００１９】
まず、導電層１２に、感光性ドライフィルムレジストをラミネート、露光、現像して、エッチングパターンを作製する。そして、このエッチングパターンをマスクとして、エッチングを行う。ついで、感光性ドライフィルムレジストを剥離して、外部接触端子１２ｂと非接触通信用アンテナ１２ｃの導電パターンを形成する。
【００２０】
このように、第１実施形態のＩＣモジュールは、埋め込み導通部材１４が基板１１に物理的に埋め込まれているので、強固な構造で確実に導通をとることができ、また、基板１１やＩＣチップ１３が剥がれることがない。さらに、埋め込み導通部材１４は、メッキで作るわけではないので、不用意な孔などによって、ショートしてしまうことがない。
【００２１】
また、埋め込み導通部材１４は、図５に示すように、先端を尖られてあり、導電層１２に到達したときに、潰れるようにしてある。埋め込み導通部材１４は、潰れて、めり込んだような形となることによって、確実に導通がとれる。この結果として、導電層１２は、図５（ｃ）に示すように、当たった部分（接触恨）１２ｄが盛り上がっている。この接触恨１２ｄは、外部から目視できるので、電気を通さずに、導通の確認をすることができる。
【００２２】
一方、第１実施形態の製造方法によれば、埋め込み導通部材１４による物理的な接続だけでよいので、簡易な工程によって、配線構造を作ることができる。
【００２３】
（第２実施形態）
図３，図４は、本発明によるＩＣモジュールとその製造方法の第２実施形態を示す図である。
なお、以下に示す実施形態では、前述した第１実施形態と同様な機能を果たす部分には、同一の符号を付して、重複する図面や説明を適宜省略する。
【００２４】
第１実施形態では、ＩＣチップ１３側に、埋め込み導通部材１４を形成したが、第２実施形態では、図３（ａ）に示すように、銅層などの導電層１２を用意して、図３（ｂ）に示すように、導電層１２に、印刷やメッキによって、突起状の埋め込み導通部材１４を形成する（埋め込み導通部材形成工程＃２０１）。
【００２５】
次に、図３（ｃ）に示すように、ＩＣチップ１３の上に、絶縁性のある基板（ベース層）１１を、プリプレグの積層、エポキシ樹脂，ポリイミド樹脂の塗布などにより形成する（ベース層形成工程＃２０２）。
【００２６】
そして、図３（ｄ）に示すように、基板１１を加熱・加圧することにより、導電層１２の接続端子部１２ａに設けられた埋め込み導通部材１４を、基板１１に埋め込んで、接続端子部１２ａとＩＣチップ１３の接続端子部１３ａとを導通させる（導通工程＃２０３）。
【００２７】
最後に、導電層１２の表面を、エッチングして、外部接触端子１２ｂ，非接触通信用アンテナ１２ｃを作製する（通信手段作製工程＃２０４）。
【００２８】
ここで、上記各実施形態では、図２（ｇ），図４（ｆ）に示すように、外部接触端子１２ｂは、非接触通信用アンテナ１２ｃのアンテナ内側領域Ｂに対して、左側にずらして配置することにより、その外部接触端子１２ｂと干渉しないアンテナ有効領域Ｃが確保されている。このため、より干渉の少ないアンテナ有効領域Ｃが確保できると共に、非接触通信用アンテナアンテナ１２ｃの接続端子部をＩＣチップの接続端子部に接続しやすい。
【００２９】
非接触ＩＣモジュールにおいて、大きな通信距離を安定して確保するためには、非接触用アンテナ（以下、コイルアンテナ）１２ｃの面積が大きければければ大きいほどよい。しかし、コイルアンテナ１２ｃが大きければ、製造コストは、材料費も含め、面積に比例して大きくなることから、通信に必要な最低限の大きさであればよい。
コイル面積と通信特性について、検討した結果、ISO14443TypeＡ及びTypeＢ方式を前提として、最低限必要なコイルの大きさは、コイルの形状やピッチで異なるものの、面積として、概ね１０ｍｍ2 以上は最低必要であり、４００ｍｍ2 あれば十分であることが判明した。
【００３０】
さらに、カード又はモジュールの大きさ、形状は、規格により大きさが決められている場合に、特に、小型のモジュールで寸法が機器の制約で約２ｃｍ角以内と限られている場合など、自ずとコイルアンテナ１２ｃの大きさをＩＣモジュール１０に対して、全面に使うことが必要とされ、コイルアンテナ１２ｃは、ＩＣモジュール１０の外周一杯に形成することが要求される。
この制約から、コイルアンテナ１２ｃのデザインルールとして、外周はなるべく大きく、そのピッチを狭めて配置した方がよい。ピッチとしては、１００μｍ以下、最も望ましくは、５０μｍ以下である。
また、ピッチが２０μｍ以下になると、安定して作製することが難しくなる。また、フエースダウン型のフリップチップ実装を行うと、ＩＣモジュール１０の厚みを薄くでき、望ましい。
本実施形態では、外部接触端子１２ｂの接続端子部間をコイル配線が通るように設置する必要があり、この場合も、ピッチを１００μｍ以下、最も望ましくは、５０μｍ以下にすると、デザイン上設計の自由度が確保でき、コイルアンテナ１２ｃの内側面積を大きくすることができる。
【００３１】
また、コイルアンテナ１２ｃの膜厚としては、デザインルールが小さくなると抵抗が大きくなるため、望ましくは、５μｍ以上、最も望ましくは、１０μｍ以上である。
コイルアンテナ１２ｃの膜厚を大きくすると、安定して作製することが難しくなるため、３０μｍ以下にすることが望ましい。これらのデザインルールを満足するためには、コイルアンテナ１２ｃの作製方法は、エッチング法かめっきによるセミアディテイブ法による方法のどちらかであるが、ピッチ５０μｍ以下に作製する場合は、めっきによるセミアデティブ法に限られる。
【００３２】
また、接触・非接触兼用のＩＣモジュール１０においては、外部接触端子１２ｂと非接触用アンテナ１２ｃを、同一モジュール内に形成する必要がある。一般に、非接触用アンテナ１２ｃの内部に置かれた、金属部分は電磁波の遮蔽効果を持ち、通信の障害となる。よって、ＩＣカードのデザインでは、金属製の外部接触端子１２ｂの電磁波の遮蔽効果を避けるために、その端子１２ｂからコイルアンテナ１２ｃの中心をずらして配置することがが必要である。
この場合に、アンテナ有効面積Ｃは、モジュール面積Ａに対して、０．５Ａ〜０．９Ａが望ましいという新規事実を得た。
【００３３】
（変形形態）
以上説明した実施形態に限定されることなく、種々の変形や変更が可能であって、それらも本発明の均等の範囲内である。
（１）  本実施形態のＩＣモジュールは、携帯電話などに使用するＳＩＭ、通常のＩＣカードや、基材形状が特定されないＩＣタグなどであってもよい。
（２）  小型のＩＣモジュール単体で必要な通信距離が確保できなければ、外部にブースターコイルを別途作製し、ＩＣモジュールと近接させて共振回路を形成し、信距離を確保することも可能である。このブースターコイルは、ＩＣモジュールを収納するケース、例えば、定期入れなどに設置して使用してもよい。
【００３４】
（３）  本発明の方式では、接触用端子と非接触用アンテナを具備する構成であるが、場合によっては、接触用端子と非接触用アンテナの接続端子部のみをＩＣモジュールに設け、アンテナコイルを別途作製してもよい。
このアンテナコイルは、ＩＣモジュールを収納するケース、例えば、定期入れなどに設置して、ＩＣモジュールを挿入することによって機能するようにしてもよい。
【００３５】
【発明の効果】
以上詳しく説明したように、本発明によれば、埋め込み導通部材がベース層に物理的に埋め込まれているので、強固構造となり、確実な導通をとることができる。
また、埋め込み導通部材による物理的な接続だけでよいので、簡易な工程によって、配線構造を作ることができる。
【図面の簡単な説明】
【図１】本発明によるＩＣモジュールとその製造方法の第１実施形態を示す図（その１）である。
【図２】本発明によるＩＣモジュールとその製造方法の第１実施形態を示す図（その２）である。
【図３】本発明によるＩＣモジュールとその製造方法の第２実施形態を示す図（その１）である。
【図４】本発明によるＩＣモジュールとその製造方法の第２実施形態を示す図（その２）である。
【図５】本実施形態に係るＩＣモジュールの埋め込み導通部材を示す図である。
【符号の説明】
１０  ＩＣモジュール
１１  基板（ベース層）
１２  導電層
１２ａ  接続端子部
１２ｂ  外部接触端子
１２ｃ  非接触通信用アンテナ
１３  ＩＣチップ
１３ａ  接続端子部
１４  埋め込み導通部材
【図１】
0004783991.tif 000002
【図２】
0004783991.tif 000003
【図３】
0004783991.tif 000004
【図４】
0004783991.tif 000005
【図５】
0004783991.tif 000006